(57)【特許請求の範囲】
【請求項１】
通信機能を持たない第１の記録媒体、及び、通信機能を持つ着脱可能な第２の記録媒体に接続が可能な撮像装置であって、
前記第１の記録媒体及び前記第２の記録媒体への撮像画像の記録を制御する制御手段と、
前記第１の記録媒体及び前記第２の記録媒体に撮像画像を記録する際の画像処理の条件を設定する設定手段とを備え、
前記撮像画像に異なる画像処理を行って前記第１の記録媒体及び前記第２の記録媒体に振り分けて記録する場合、前記制御手段は前記第１の記録媒体に記録された撮像画像を前記第２の記録媒体にコピーして、前記第１の記録媒体からコピーされた撮像画像が前記第２の記録媒体により外部に送信されるようにし、
前記撮像画像に同一の画像処理を行って前記第１の記録媒体及び前記第２の記録媒体に記録する場合、前記制御手段は前記コピーを行わず、前記第２の記録媒体に記録された撮像画像が前記第２の記録媒体により外部に送信されるようにすることを特徴とする撮像装置。
【請求項２】
前記設定手段は、撮像画像の圧縮形式を設定することが可能であることを特徴とする請求項１に記載の撮像装置。
【請求項３】
前記設定手段は、ＲＡＷ画像を生成して記録すること、及びＪＰＥＧ画像を生成して記録することが設定可能であることを特徴とする請求項２に記載の撮像装置。
【請求項４】
（ａ）前記撮像画像を、前記第１の記録媒体に記録し前記第２の記録媒体に記録しないか、
（ｂ）前記撮像画像を、前記第２の記録媒体に記録し前記第１の記録媒体に記録しないか、
（ｃ）前記撮像画像を前記第１の記録媒体及び前記第２の記録媒体に記録するか、
を選択する選択手段をさらに有することを特徴とする請求項１乃至３のいずれか１項に記載の撮像装置。
【請求項５】
前記第１の記録媒体と接続する第１の接続手段と、
前記第２の記録媒体と接続する第２の接続手段とを有し、
前記第１の接続手段及び前記第２の接続手段は、メモリカードと接続するためのインタフェースであることを特徴とする請求項１乃至４のいずれか１項に記載の撮像装置。
【請求項６】
前記第１の接続手段及び前記第２の接続手段は、互いに異なる規格の記録媒体と接続するためのインタフェースであることを特徴とする請求項５に記載の撮像装置。
【請求項７】
前記第１の記録媒体は、前記撮像装置に内蔵されていることを特徴とする請求項１乃至４のいずれか１項に記載の撮像装置。
【請求項８】
通信機能を持たない第１の記録媒体、及び、通信機能を持つ着脱可能な第２の記録媒体に接続が可能な撮像装置の制御方法であって、
当該撮像装置は、前記第１の記録媒体及び前記第２の記録媒体に撮像画像を記録する際の画像処理の条件を設定する設定手段を備えており、
前記撮像画像に異なる画像処理を行って前記第１の記録媒体及び前記第２の記録媒体に振り分けて記録する場合、前記第１の記録媒体に記録された撮像画像を前記第２の記録媒体にコピーして、前記第１の記録媒体からコピーされた撮像画像が前記第２の記録媒体により外部に送信されるようにし、
前記撮像画像に同一の画像処理を行って前記第１の記録媒体及び前記第２の記録媒体に記録する場合、前記コピーを行わず、前記第２の記録媒体に記録された撮像画像が前記第２の記録媒体により外部に送信されるようにすることを特徴とする撮像装置の制御方法。
【請求項９】
通信機能を持たない第１の記録媒体、及び、通信機能を持つ着脱可能な第２の記録媒体に接続が可能な撮像装置を制御するためのプログラムであって、
前記第１の記録媒体及び前記第２の記録媒体への撮像画像の記録を制御する制御手段と、
前記第１の記録媒体及び前記第２の記録媒体に撮像画像を記録する際の画像処理の条件を設定する設定手段としてコンピュータを機能させ、
前記撮像画像に異なる画像処理を行って前記第１の記録媒体及び前記第２の記録媒体に振り分けて記録する場合、前記制御手段は前記第１の記録媒体に記録された撮像画像を前記第２の記録媒体にコピーして、前記第１の記録媒体からコピーされた撮像画像が前記第２の記録媒体により外部に送信されるようにし、
前記撮像画像に同一の画像処理を行って前記第１の記録媒体及び前記第２の記録媒体に記録する場合、前記制御手段は前記コピーを行わず、前記第２の記録媒体に記録された撮像画像が前記第２の記録媒体により外部に送信されるようにすることを特徴とするプログラム。
【発明の詳細な説明】
【技術分野】
【０００１】
本発明は、通信機能を持つ第２の記録媒体と接続可能な撮像装置、その制御方法及びプログラムに関する。
【背景技術】
【０００２】
現在、通信機能を持つ記録媒体（以下、「通信記録媒体」と称する）が存在する。通信記録媒体は、記録領域内にファイルの存在を検知すると自動的に送信を行うものであり、送信が終了したファイルは、そのまま該記録領域内に残される仕組みとなっている。
【０００３】
このような通信記録媒体を撮像装置で採用した場合、撮影画像（画像ファイル）が通信記録媒体に記録されると、その撮影画像は通信記録媒体の通信機能によって、予め設定されている送信先へ自動的に送信される。送信された撮影画像は通信記録媒体内に残される。
【０００４】
昨今の撮像装置には、複数の記録媒体を備え、これら複数の記録媒体に撮影画像を記録可能なものが存在する（特許文献１を参照）。例えば、撮影画像の画像処理方法としてＪＰＥＧ及びＲＡＷの両方で指定されていれば、複数の記録媒体の一方にＪＰＥＧ画像を、他方にＲＡＷ画像を記録することが可能である（以下、「振り分け記録」と呼ぶ）。また、ＪＰＥＧ及びＲＡＷのいずれか一方で指定されていれば、複数の記録媒体のそれぞれに対して、指定の画像処理方法で処理された撮影画像を記録することが可能である（以下、「同一書込み」と呼ぶ）。
【先行技術文献】
【特許文献】
【０００５】
【特許文献１】特開２００５−１７５５７４号公報
【発明の概要】
【発明が解決しようとする課題】
【０００６】
しかしながら、複数の記録媒体に通信記録媒体が含まれる場合、通信機能を持たない記録媒体のみに撮影画像が記録されると、撮影画像を外部に送信することができない。
【０００７】
また、特許文献１では、複数の記録媒体に通信記録媒体が含まれる場合については考慮されていない。例えば、２つの記録媒体を備え、一方が通信機能を持たない記録媒体で、他方が通信記録媒体である場合に、振り分け記録を行うと、通信記録媒体に記録された撮影画像だけが外部に送信されてしまうことになる。そこで、例えば通信機能を持たない記録媒体に撮影画像が記録された後、その撮影画像を通信記録媒体に自動的にコピーするようにすることが考えられる。この方法であれば、振り分け記録を行うときに、通信機能を持たない記録媒体に記録された撮影画像も外部に送信することができる。その一方で、同一書込みを行う場合、両記録媒体には同じ画像処理方法で処理された撮影画像が記録されるので、通信記録媒体に記録された撮影画像だけを外部に送信すれば足りる。そのため、記録媒体間のコピー動作が必ず実行されるようにすると、コピー処理及びコピーした撮影画像の送信処理が無駄になってしまう。
【０００８】
本発明は、上記のような問題点に鑑みてなされたものであり、通信機能を持たない記録媒体及び通信記録媒体の両方が接続されている場合に、通信記録媒体を用いて撮影画像を効率良く送信できるようにすることを目的とする。
【課題を解決するための手段】
【０００９】
本発明の撮像装置は、通信機能を持たない第１の記録媒体、及び、通信機能を持つ着脱可能な第２の記録媒体に接続が可能な撮像装置であって、前記第１の記録媒体及び前記第２の記録媒体への撮像画像の記録を制御する制御手段と、前記第１の記録媒体及び前記第２の記録媒体に撮像画像を記録する際の画像処理の条件を設定する設定手段とを備え、前記撮像画像に異なる画像処理を行って前記第１の記録媒体及び前記第２の記録媒体に振り分けて記録する場合、前記制御手段は前記第１の記録媒体に記録された撮像画像を前記第２の記録媒体にコピーして、前記第１の記録媒体からコピーされた撮像画像が前記第２の記録媒体により外部に送信されるようにし、前記撮像画像に同一の画像処理を行って前記第１の記録媒体及び前記第２の記録媒体に記録する場合、前記制御手段は前記コピーを行わず、前記第２の記録媒体に記録された撮像画像が前記第２の記録媒体により外部に送信されるようにすることを特徴とする。
【発明の効果】
【００１０】
本発明によれば、通信機能を持たない記録媒体及び通信記録媒体の両方が接続されている場合に、通信記録媒体を用いて撮影画像を効率良く送信することができる。
【図面の簡単な説明】
【００１１】
【図１】本発明の実施形態に係る情報処理装置の回路構成を示すブロック図である。
【図２】（ａ）は撮影画像の記録先を設定する設定画面の例を示す図、（ｂ）は撮影画像の記録方法を設定する設定画面の例を示す図である。
【図３】（ａ）は撮影画像の記録先に応じて動作切り替えを行う場合の処理動作を示すフローチャート、（ｂ）は撮影画像の記録方法に応じて動作切り替えを行う場合の処理動作を示すフローチャートである。
【発明を実施するための形態】
【００１２】
以下、添付図面を参照して、本発明の好適な実施形態について説明する。
（第１の実施形態）
図１は、本発明の実施形態に係る情報処理装置の回路構成を示すブロック図である。この情報処理装置は、具体的にはデジタルビデオカメラ、デジタルカメラに代表される撮像装置（本実施形態ではデジタル一眼レフカメラ）である。
【００１３】
撮像装置本体１００において、シャッター１２は、撮像素子１４への露光量を制御し、撮像素子１４は、光学像を電気信号に変換する。レンズ３１０に入射した光線は、一眼レフ方式によって、絞り３１２、レンズマウント３０６及び１０６、ミラー１３０、シャッター１２を介して導かれ、光学像として撮像素子１４上に結合する。Ａ／Ｄ変換器１６は、撮像素子１４のアナログ信号出力をデジタル信号に変換する。タイミング発生回路１８は、撮像素子１４、Ａ／Ｄ変換器１６、Ｄ／Ａ変換器２６にクロック信号や制御信号を供給し、メモリ制御回路２２及びシステム制御回路５０により制御される。
【００１４】
画像処理回路２０は、Ａ／Ｄ変換器１６からのデータ或いはメモリ制御回路２２からのデータに対して、所定の画素補間処理や色変換処理を行う。また、画像処理回路２０は、必要に応じて、撮像した画像データを用いて所定の演算処理を行う。そして、得られた演算結果に基づいて、システム制御回路５０がシャッター制御部４０、測距部４２に対して制御を行う。更に、画像処理回路２０は、撮像した画像データを用いて所定の演算処理を行い、得られた演算結果に基づいて、ＴＴＬ方式のＡＷＢ（オートホワイトバランス）処理も行う。なお、本実施形態では、測距部４２及び測光部４６を専用に備えている。したがって、測距部４２及び測光部４６を用いてＡＦ処理、ＡＥ処理、ＥＦ処理の各処理を行い、画像処理回路２０を用いてＡＦ処理、ＡＥ処理、ＥＦ処理の各処理を行わない構成としても良い。或いは、測距部４２及び測光部４６を用いてＡＦ処理、ＡＥ処理、ＥＦ処理の各処理を行い、更に、画像処理回路２０を用いてＡＦ処理、ＡＥ処理、ＥＦ処理の各処理を行う構成としても良い。
【００１５】
メモリ制御回路２２は、Ａ／Ｄ変換器１６、タイミング発生回路１８、画像処理回路２０、画像表示メモリ２４、Ｄ／Ａ変換器２６、メモリ３０、画像圧縮・伸長回路３２を制御する。Ａ／Ｄ変換器１６のデータが、画像処理回路２０、メモリ制御回路２２を介して、或いは、直接メモリ制御回路２２を介して、画像表示メモリ２４或いはメモリ３０に書き込まれる。画像表示メモリ２４に書き込まれた表示用の画像データは、Ｄ／Ａ変換器２６を介して、ＴＦＴ ＬＣＤ等からなる画像表示部２８により表示される。画像表示部２８を用いて撮像した画像データを逐次表示すれば、電子ファインダ機能を実現することが可能である。画像表示部２８は、システム制御回路５０の指示により、任意に表示をＯＮ／ＯＦＦすることが可能であり、表示をＯＦＦにすることによって、撮像装置の電力消費を低減することができる。
【００１６】
メモリ３０は、撮影した静止画像や動画像のデータを格納するためのメモリであり、所定枚数の静止画像や所定時間の動画像を格納するのに十分な記憶量を備える。これにより、複数枚の静止画像を連続して撮影する連写撮影やパノラマ撮影の場合にも、高速かつ大量の画像書き込みをメモリ３０に対して行うことが可能となる。また、メモリ３０は、システム制御回路５０の作業領域としても使用することが可能である。
【００１７】
画像圧縮・伸長回路３２は、適応離散コサイン変換（ＡＤＣＴ）等により画像データを圧縮伸長する回路であり、メモリ３０に格納された画像を読み込んで圧縮処理或いは伸長処理を行い、処理を終えたデータをメモリ３０に書き込む。
【００１８】
ミラー１３０、１３２は、レンズ３１０に入射した光線を、一眼レフ方式によって光学ファインダ１０４に導くことができる。なお、ミラー１３２は、クイックリターンミラーの構成としても、ハーフミラーの構成としても、どちらでも構わない。光学ファインダ１０４は、レンズ３１０に入射した光線を、一眼レフ方式によって、絞り３１２、レンズマウント３０６及び１０６、ミラー１３０及び１３２を介して導き、光学像として結像表示する。これにより、画像表示部２８による電子ファインダ機能を使用すること無しに、光学ファインダ１０４のみを用いて撮影を行うことが可能である。
【００１９】
シャッター制御部４０は、測光部４６からの測光情報に基づいて、絞り３１２を制御する絞り制御部３４０と連携しながら、シャッター１２を制御する。測距部４２は、ＡＦ処理を行うための手段である。レンズ３１０に入射した光線を、一眼レフ方式によって、絞り３１２、レンズマウント３０６及び１０６、ミラー１３０、及び不図示の測距用サブミラーを介して、測距部４２に入射させることにより、光学像として結像された画像の合焦状態を測定することができる。測光部４６は、ＡＥ処理を行うための手段である。レンズ３１０に入射した光線を、一眼レフ方式によって、絞り３１２、レンズマウント３０６及び１０６、ミラー１３０及び１３２及び不図示の測光用レンズを介して、測光部４６に入射させる。このことにより、光学像として結像された画像の露出状態を測定することができる。また、測光部４６は、フラッシュ４８と連携することにより、ＥＦ処理機能も有する。フラッシュ４８は、ＡＦ補助光の投光機能、フラッシュ調光機能も有する。
【００２０】
なお、撮像素子１４によって撮像した画像データを画像処理回路２０によって演算した演算結果に基づいて、システム制御回路５０が露出制御及びＡＦ制御を行うことも可能である。また、測距部４２による測定結果と、撮像素子１４によって撮像した画像データを画像処理回路２０によって演算した演算結果とを共に用いて、ＡＦ制御を行っても構わない。更に、測光部４６による測定結果と、撮像素子１４によって撮像した画像データを画像処理回路２０によって演算した演算結果とを共に用いて、露出制御を行っても構わない。
【００２１】
システム制御回路５０は、撮像装置の全体を制御する。メモリ５２は、システム制御回路５０の作業領域として使用される。不揮発性メモリ５６は、電気的に消去・記録可能であり、例えばＥＥＰＲＯＭ等が用いられる。
【００２２】
表示部５３は、システム制御回路５０でのプログラムの実行に応じて、文字、画像、音声等を用いて動作状態やメッセージ等を表示する液晶表示装置、或いはスピーカー等の表示部である。表示部５３は、撮像装置の操作部近辺の視認し易い位置に単数或いは複数個所設置され、例えばＬＣＤやＬＥＤ、発音素子等の組み合わせにより構成される。また、表示部５３は、その一部の機能が光学ファインダ１０４内に設置されている。表示部５３の表示内容のうち、ＬＣＤ５４或いは５５等に表示するものとしては、例えば、記録媒体２００及び２１０の着脱状態表示、通信Ｉ／Ｆ動作表示、日付・時刻表示、外部コンピュータとの接続状態を示す表示等がある。また、表示部５３の表示内容のうち、光学ファインダ１０４内に表示するものとしては、例えば、合焦表示、撮影準備完了表示、記録媒体書き込み動作表示等がある。更に、表示部５３の表示内容のうち、ＬＥＤ等に表示するものとしては、例えば、合焦表示、撮影準備完了表示、手振れ警告表示、フラッシュ充電表示、フラッシュ充電完了表示、記録媒体書き込み動作表示、マクロ撮影設定通知表示、二次電池充電状態表示等がある。更に、表示部５３の表示内容のうち、ランプ等に表示するものとしては、例えば、セルフタイマー通知ランプ等がある。このセルフタイマー通知ランプは、ＡＦ補助光として共有して用いても良い。
【００２３】
操作部６２、６４、６６及び７０は、システム制御回路５０の各種動作の指示を入力するための手段であり、スイッチやダイヤル、タッチパネル、視線検知によるポインティング、音声認識装置等の単数或いは複数の組み合わせで構成される。
【００２４】
ここで、これらの操作部の具体的な説明を行う。シャッタースイッチ６２（ＳＷ１）は、不図示のシャッターボタンの操作途中でＯＮとなり、ＡＦ処理、ＡＥ処理、ＡＷＢ処理、ＥＦ処理等の動作開始を指示する。シャッタースイッチ６４（ＳＷ２）は、不図示のシャッターボタンの操作完了でＯＮとなり、露光処理、現像処理、記録処理という一連の処理の動作開始を指示する。露光処理では、撮像素子１４から読み出した信号をＡ／Ｄ変換器１６、メモリ制御回路２２を介してメモリ３０に画像データを書き込む。現像処理では、画像処理回路２０やメモリ制御回路２２での演算を用いて現像する。記録処理では、メモリ３０から画像データを読み出し、画像圧縮・伸長回路３２で圧縮を行い、記録媒体２００或いは２１０に画像データを書き込む。
【００２５】
表示内容切替スイッチ６６は、ＬＣＤ５４及び５５の表示内容のうち、一部の表示内容を変更することができる。操作部７０は、各種ボタンやタッチパネル等からなり、メニューボタン、メニュー移動＋（プラス）ボタン、メニュー移動−（マイナス）ボタン、各種機能の決定及び実行を設定する決定／実行ボタン等がある。また、上記プラスボタン及びマイナスボタンの各機能は、回転ダイヤルスイッチを備えることによって、より軽快に数値や機能を選択することが可能となる。
【００２６】
電源スイッチ７２は、撮像装置の電源ＯＮ、電源ＯＦＦの各モードを切替設定することができる。また、撮像装置本体１００に接続されたレンズユニット３００、外部ストロボ、記録媒体２００、２１０等の各種付属装置の電源ＯＮ、電源ＯＦＦの設定も合わせて、切替設定することができる。
【００２７】
電源制御部８０は、電池検出回路、ＤＣ−ＤＣコンバータ、通電するブロックを切り替えるスイッチ回路等により構成される。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。電源８６は、アルカリ電池やリチウム電池等の一次電池や、ＮｉＣｄ電池やＮｉＭＨ電池、Ｌｉ電池等の二次電池、ＡＣアダプタ等からなる。
【００２８】
インタフェース９０及び９４、コネクタ９２及び９６は、メモリカードやハードディスク等の記録媒体２００、２１０と撮像装置本体１００との接続を行う。記録媒体着脱検知部８８は、コネクタ９２及び／或いは９６に記録媒体２００或いは２１０が装着されているか否かを検知する。
【００２９】
第１の記録媒体である記録媒体２００は、撮像装置に着脱可能な記録媒体である。記録媒体２００は、半導体メモリや磁気ディスク等から構成される記録部２０２、撮像装置とのインタフェース２０４、撮像装置と接続を行うコネクタ２０６を備える。
【００３０】
第２の記録媒体である記録媒体２１０は、撮像装置に着脱可能な記録媒体であり、ファイルを外部に送信する通信機能を持つ通信記録媒体である。通信記録媒体２１０は、半導体メモリや磁気ディスク等から構成される記録部２１２、撮像装置とのインタフェース２１４、撮像装置と接続を行うコネクタ２１６、記録部２１２内に記録されたファイルを外部に送信する通信部２２０を備える。通信記録媒体２１０は、媒体内部にファイルの存在を検知すると、予め設定された送信先への送信処理を自動的に開始する。例えば、通信記録媒体２１０に撮影画像が記録された場合、記録が完了してファイルクローズが行われ、撮影画像がファイルとして作成完了した時点で、通信記録媒体２１０は、媒体内部の撮影画像の存在を検知する。その後、予め設定されている送信先への撮影画像の送信処理を開始する。送信された撮影画像は通信記録媒体２１０内に残される。なお、通信記録媒体２１０は外部に送信したデータの履歴を記録部２１２等に保持しており、記録部２１２に記録された撮影画像のうち、未送信の撮影画像を送信する。
【００３１】
なお、本実施形態では、記録媒体を取り付けるインタフェース及びコネクタを２系統備えるものとして説明しているが、３以上の系統数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ（登録商標）（Ｒ））カード等の規格に準拠したものを用いて構成しても構わない。更に、インタフェース９０及び９４、そしてコネクタ９２及び９６をＣＦ（コンパクトフラッシュ（Ｒ））カード等の規格に準拠したものを用いて構成した場合、ＬＡＮカードやモデムカード、ＵＳＢカード等の通信カード等の各種通信カードを接続可能としてもよい。このことにより、他のコンピュータやプリンタ等の周辺機器との間で、画像データや画像データに付属した管理情報を転送し合うことができる。また、通信記録媒体２００は、例えば撮像装置に内蔵されたハードディスクやフラッシュメモリ等、いわゆる内蔵メモリでもよい。
【００３２】
通信部１１０は、ＲＳ２３２ＣやＵＳＢ、ＩＥＥＥ１３９４、Ｐ１２８４、ＳＣＳＩ、モデム、ＬＡＮ、無線通信、等の各種通信機能を有する。コネクタ（或いは無線通信の場合はアンテナ）１１２は、通信部１１０により撮像装置を他の機器と接続する。
【００３３】
インタフェース１２０は、レンズマウント１０６内において、撮像装置本体１００をレンズユニット３００と接続するためのインタフェースである。コネクタ１２２は、撮像装置本体１００をレンズユニット３００と電気的に接続するコネクタである。コネクタ１２２は、撮像装置本体１００とレンズユニット３００との間で制御信号、状態信号、データ信号等を伝え合うとともに、各種電圧の電流を供給する機能も備える。また、コネクタ１２２は、電気通信のみならず、光通信、音声通信等を伝達する構成としても良い。
【００３４】
レンズユニット３００は、交換レンズタイプのレンズユニットである。レンズマウント３０６は、レンズユニット３００を撮像装置本体１００と機械的に結合する。レンズマウント３０６内には、レンズユニット３００を撮像装置本体１００と電気的に接続する各種機能が含まれている。インタフェース３２０は、レンズマウント３０６内において、レンズユニット３００を撮像装置本体１００と接続するためのインタフェース、コネクタ３２２は、レンズユニット３００を撮像装置本体１００と電気的に接続するコネクタである。
【００３５】
コネクタ３２２は、撮像装置本体１００とレンズユニット３００との間で制御信号、状態信号、データ信号等を伝え合うとともに、各種電圧の電流を供給される或いは供給する機能も備える。また、コネクタ３２２は電気通信のみならず、光通信、音声通信等を伝達する構成としても良い。
【００３６】
絞り制御部３４０は、測光部４６からの測光情報に基づいて、シャッター１２を制御するシャッター制御部４０と連携しながら、絞り３１２を制御する。測距制御部３４２は、レンズ３１０のフォーカシングを制御し、ズーム制御部３４４は、レンズ３１０のズーミングを制御する。
【００３７】
ここで、本実施形態に係る撮像装置では、撮影画像を記録する記録先として、記録媒体２００、２１０を選択して設定することができる。撮影画像の記録先は、例えば画像表示部２８に表示される設定画面及び操作部７０を用いてユーザにより設定される。なお、撮影画像の記録先が予め撮像装置に設定済みであっても良い。
【００３８】
図２（ａ）を参照して、撮影画像の記録先の設定について説明する。図２（ａ）は、撮影画像の記録先を設定する設定画面の例を示す。ここで設定される撮影画像の記録先は、撮影装置のカレントドライブとして設定される。５０１は、撮像装置が備える記録媒体を装填できるスロットを示す表示エリアである。５０２は、撮像装置が備える各スロットに装填された記録媒体の種類を示す表示エリアである。記録媒体がスロットに装填されると、システム制御回路５０により記録媒体の種類が判別され、装填された記録媒体の種類が表示エリア５０２に表示される。本実施形態では、撮像装置が備える記録媒体は２つ存在し、各スロットに通信記録媒体とＣＦカードが装填されていることを示している。図２（ａ）のスロット１に装填された記録媒体が通信記録媒体２１０に、スロット２に装填された記録媒体が記録媒体２００に対応している。５０３は、撮影画像の記録先を選択するためのカーソルである。このカーソル５０３で選択されたスロットが、撮像装置のカレントドライブに設定される。なお、撮影画像の記録先としては、記録媒体２００、２１０のいずれか一方だけでなく、両方を同時指定することも可能である。
【００３９】
図３（ａ）のフローチャートは、撮像装置が、記録媒体２００及び２１０を備えた状態で撮影動作を行い、撮影画像の記録先に応じて動作切り替えを行う場合について説明したものである。
【００４０】
まず、ステップＳ１０１において、システム制御回路５０は、図２（ａ）の設定画面において設定された撮影画像の記録先を確認する。
【００４１】
次に、ステップＳ１０２において、システム制御回路５０は、撮影画像の記録先として通信記録媒体２１０が含まれているか否かを判断する。撮影画像の記録先として通信記録媒体２１０が含まれていない場合、すなわち撮影画像の記録先が記録媒体２００のみである場合、システム制御回路５０は、ステップＳ１０３を実行する。一方、撮影画像の記録先として通信記録媒体２１０が含まれている場合、すなわち撮影画像の記録先が通信記録媒体２１０のみ、或いは、記録媒体２００及び通信記録媒体２１０の両方である場合、システム制御回路５０は、該フローチャートを終了する。
【００４２】
ステップＳ１０３において、システム制御回路５０は、記録媒体２００に記録された撮影画像を通信記録媒体２１０にコピーする。通信記録媒体２１０では、記録部２１２内に撮影画像の存在を検知し、予め設定されている送信先へ撮影画像を送信する。
【００４３】
以上述べたように、通信機能を持たない記録媒体２００に撮影画像が記録された後、撮影画像を通信記録媒体２１０に自動的にコピーすることで、撮影画像をすべて外部に送信することが可能である。この場合に、撮影画像の記録先として通信記録媒体２１０が含まれているか否かに応じてコピー動作を実行するようにしたので、無駄なコピー処理及びコピーした撮影画像の送信処理の発生を抑えて、撮影画像を効率良く送信することができる。
【００４４】
（第２の実施形態）
第２の実施形態では、記録媒体２００及び通信記録媒体２１０に撮影画像を記録する際の画像処理の条件（記録方法）に応じてコピー動作を実行するか否かを決定する例を説明する。なお、撮像装置の構成は第１の実施形態と同様であり、その詳細な説明は省略する。
【００４５】
撮影画像の記録方法が異なる場合、例えばＪＰＥＧ及びＲＡＷの両方で指定されている場合、複数の記録媒体の一方にＪＰＥＧ画像を、他方にＲＡＷ画像を記録する（振り分け記録）。また、撮影画像の記録方法が同一の場合、例えばＪＰＥＧ及びＲＡＷのいずれか一方で指定されている場合、複数の記録媒体のそれぞれに対して、指定の画像処理方法で処理された撮影画像を記録する（同一書込み）。
【００４６】
図２（ｂ）を参照して、撮影画像の記録媒体への記録方法の設定について説明する。図２（ｂ）は、撮影画像の記録方法を設定する設定画面の例である。６０１は、撮影画像の記録方法を示す表示エリアある。ここでは、撮影画像の記録方法として、ＯＦＦ、振り分けＯＮ、同一書込みＯＮがある。６０２は、撮影画像の記録方法を選択するためのカーソルである。記録方法としてＯＦＦが選択された場合、撮影画像は、例えば図２（ａ）に示したような設定画面で選択されたスロットの記録媒体にのみ記録される。また、記録方法として、振り分け記録、或いは、同一書込みが設定された場合、撮影画像は、記録媒体２００及び通信記録媒体２１０の両方に記録されることになる。
【００４７】
図３（ｂ）のフローチャートは、撮像装置が、記録媒体２００及び２１０を備えた状態で撮影動作を行い、撮影画像の記録方法に応じて動作切り替えを行う場合について説明したものである。ここでは、撮影画像の記録方法として、振り分けＯＮ、或いは、同一書込みＯＮが設定されているものとする。
【００４８】
まず、ステップＳ２０１において、システム制御回路５０は、図２（ｂ）の設定画面において設定された撮影画像の記録方法を確認する。
【００４９】
次に、ステップＳ２０２において、システム制御回路５０は、撮影画像の記録方法として、振り分け記録が設定されているか、同一書込みが設定されているかを判断する。振り分け記録が設定されている場合、システム制御回路５０は、ステップＳ２０３を実行する。一方、同一書込みが設定されている場合、システム制御回路５０は、該フローチャートを終了する。
【００５０】
ステップＳ２０３において、システム制御回路５０は、記録媒体２００に記録された撮影画像を通信記録媒体２１０にコピーする。通信記録媒体２１０では、記録部２１２内に撮影画像の存在を検知し、予め設定されている送信先へ撮影画像を送信する。
【００５１】
以上述べたように、通信機能を持たない記録媒体２００に撮影画像が記録された後、撮影画像を通信記録媒体２１０に自動的にコピーすることで、撮影画像をすべて外部に送信することが可能である。この場合に、撮影画像の記録方法に応じてコピー動作を実行するようにしたので、無駄なコピー処理及びコピーした撮影画像の送信処理の発生を抑えて、撮影画像を効率良く送信することができる。具体的には、振り分け記録を行う場合、コピー動作を実行することにより、通信機能を持たない記録媒体に記録された撮影画像も外部に送信することができる。その一方で、同一書込みを行う場合、両記録媒体には同じ画像処理方法で処理された撮影画像が記録されるので、通信記録媒体に記録された撮影画像だけを外部に送信すれば足りることから、コピー動作は実行しない。
【００５２】
なお、撮影画像の記録方法として、同一書込み機能、振り分け記録機能について説明したが、それ限定されるものではない。
【００５３】
本発明が適用可能な撮像装置は、光学像を電気信号に置き換える撮像手段を有し、置き換えた電気信号を記録もしくは外部に送信することが可能な装置を言う。例えば撮像手段にＣＭＯＳ（相補形金属酸化膜半導体）イメージセンサやＣＣＤ（電荷結合素子）イメージセンサ等の撮像素子を用いて被写体の光学像を電気信号に置き換え、これを画像データとして記録する装置が挙げられる。デジタルスチルカメラのように静止画を主に撮影するもの、デジタルビデオカメラのように主に動画を撮影するものを含む。また、デジタルビデオカメラ、デジタルカメラのように撮像した画像データを装置内に記録する手段を備えるもの、監視カメラのように外部に画像データを送信するものも含む。撮像した画像データを記録する手段としてはコンパクトフラッシュ（登録商標）メモリ等のフラッシュメモリ、ＤＶＣテープ、ＤＶＤ−Ｒのような媒体等既存の物を利用できる。撮像した画像データを送信する手段は有線ＬＡＮ（ローカルエリアネットワーク）、無線ＬＡＮ、ＵＳＢ（ユニバーサルシリアルバス）等既存の方法を利用可能である。
【００５４】
なお、上記実施形態において示す構成は一例に過ぎず、本発明は図示された構成に限定されるものではない。例えば本発明は、複数の機器から構成されるシステムの一部として適用しても、一つの機器からなる装置の一部に適用してもよい。
【００５５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００５６】
１４：撮像素子、２０、画像処理回路、２２メモリ制御回路、２８画像表示部、３２：画像圧縮・伸長回路、５０：システム制御回路、２００：記録媒体、２１０：通信記録媒体
【図１】
0005436115.tif 000002
【図２】
0005436115.tif 000003
【図３】
0005436115.tif 000004